(57)【特許請求の範囲】
【請求項１】
引き出し可能に設けられた抽出機構部(26)と本体(20a)とを可撓性ホース(27)で接続し、前記本体(20a)内から飲料を前記可撓性ホース(27)を介して前記抽出機構部(26)に供給する飲料ディスペンサにおいて、
前記抽出機構部(26)の背面板(35)を斜めに取り付け、該抽出機構部(26)の内部に設ける飲料用バルブ(31,32,33,34)の入口を前記背面板(35)から垂直に突出させることで、水平よりも斜め下方向に向く該入口を、抽出機構部(26)と前記可撓性ホース(27)とを接続する接続口(31a,32a,33a,34a)とした
ことを特徴とする飲料ディスペンサ。
【請求項２】
前記接続口(31a,32a,33a,34a)に螺刻したネジ部に対して前記可撓性ホース(27)の先端部に設けた袋ナット(27a)を締着して、該可撓性ホース(27)を前記接続口(31a,32a,33a,34a)に接続するよう構成した請求項１記載の飲料ディスペンサ。
【発明の詳細な説明】
【０００１】
【発明の属する技術分野】
本発明は飲料ディスペンサに関し、更に詳細には、引き出し可能な抽出機構部を備える飲料ディスペンサに関するものである。
【０００２】
【従来の技術】
図４は、従来の飲料ディスペンサの側面図である。この飲料ディスペンサ１の上面固定台２の上には抽出コック３が立設されており、図示しないコップを抽出コック３における注ぎ口の下方に臨ませた状態でレバー３ａを操作することで、飲料ディスペンサ１の本体内に収納されている図示しないタンクから前記コップの中にビールや炭酸水等の飲料が抽出される。
【０００３】
この飲料ディスペンサ１には、その一側面に抽出機構部４が取り付けられており、この抽出機構部４に設けられたバーバルブ５からも、飲料をコップ等の容器に注ぐことができるようになっている。この抽出機構部４と飲料ディスペンサ１とは数本の可撓性のホース６によって接続されており、該抽出機構部４のメンテナンスに際しては、図５に示すように、ディスペンサ本体から手前側(矢印Ａ方向)に引き出すことができるよう構成される。
【０００４】
図６は、従来の抽出機構部４の内部構造図である。この例では、抽出機構部４の内部に炭酸水用バルブ７および２つのリカー・シロップ用バルブ８,９が背面板１０に取り付けられており、各バルブ７,８,９とバーバルブ５との間は、配管１１,１２,１３で接続されている。また抽出機構部４に配設された操作盤１５が、配線を収納した配管１６,１７,１８によって各バルブ７,８,９に接続され、該操作盤１５から出力されるバルブ開閉指令信号は各配線を介して各バルブ７,８,９に伝達されるようになっている。
【０００５】
前記各バルブ７,８,９が設けられる背面板１０は、抽出機構部４に対して鉛直に取り付けられており、各バルブ７,８,９の入口配管、すなわち接続口７ａ,８ａ,９ａは、背面板１０から水平に突出して設けられる。図示する例では、接続口７ａ,８ａ,９ａは差し込み式継手となっており、各接続口７ａ,８ａ,９ａに、図４に示す可撓性のホース６が夫々差し込まれて、飲料ディスペンサ１本体内のタンクと接続される。
【０００６】
【発明が解決しようとする課題】
前記抽出機構部４に取り付けられる可撓性のホース６は、可撓性とはいってもゴムホースだけのような柔らかなホースではなく、簡単に破けることがないように、例えば金属製繊維で編んだ被覆材で保護されたホースで構成される。このため、曲げるのに力が必要となり、図５に示すようにディスペンサ本体から前方に引き出した状態から図４のようにディスペンサ本体の側部に臨ませた状態に、抽出機構部４を押し込んだとき、余剰となったホース６が撓んで予想もしない力が接続口７ａ,８ａ,９ａに加わることがある。このため、接続口７ａ,８ａ,９ａが折れるおそれが生じ、抽出不可となる事態も想定される。また、接続口７ａ,８ａ,９ａが差し込み継手の場合には、ホース６が接続口７ａ,８ａ,９ａに対して過剰に曲がり、飲料が漏れ出てしまうおそれもある。
【０００７】
【発明の目的】
本発明は、従来の技術に係る引き出し可能な抽出機構部を備える飲料ディスペンサに内在している前記欠点に鑑み、これを好適に解決するべく提案されたものであって、抽出機構部の可撓性ホースに対する接続口に無理な力が加わることのない構造を持った飲料ディスペンサを提供することを目的とする。
【０００８】
【課題を解決するための手段】
前記課題を解決し、所期の目的を好適に達成するため、本発明に係る飲料ディスペンサは、
引き出し可能に設けられた抽出機構部と本体とを可撓性ホースで接続し、前記本体内から飲料を前記可撓性ホースを介して前記抽出機構部に供給する飲料ディスペンサにおいて、
前記抽出機構部の背面板を斜めに取り付け、該抽出機構部の内部に設ける飲料用バルブの入口を前記背面板から垂直に突出させることで、水平よりも斜め下方向に向く該入口を、抽出機構部と前記可撓性ホースとを接続する接続口としたことを特徴とする。
【０００９】
【発明の実施の形態】
次に、本発明に係る飲料ディスペンサにつき、好適な実施例を挙げて、添付図面を参照しながら以下説明する。
【００１０】
図１は、本発明の好適実施例に係る飲料ディスペンサの正面図である。この飲料ディスペンサ２０は、上面固定台２１の上に２本の抽出コック２２,２３が立設されており、夫々の操作レバー２２ａ,２３ａを操作することで、飲料ディスペンサ２０の本体２０ａ内に収納された図示しないタンクから炭酸水やリカー・シロップ等の飲料を、コップ等の容器に抽出し得るようになっている。
【００１１】
前記飲料ディスペンサ２０の右側部に、前後方向に水平に延在するようレール２４が配設されており、該レール２４に、バーバルブ２５を備えた抽出機構部２６がスライド可能に取り付けられており、バーバルブ２５からも、コップ等の容器に飲料が抽出できるよう構成される。
【００１２】
図２は、飲料ディスペンサ２０の側面図であって、前記抽出機構部２６は、前記レール２４に沿って矢印Ａ方向に引き出し可能に取り付けられており、抽出機構部２６のメンテナンス時に引き出され、保守点検されるよう構成される。このため、飲料ディスペンサ２０の本体２０ａ内に収納された図示しないタンクと抽出機構部２６とは、この例では４本の可撓性ホース２７によって接続され、これらの可撓性ホース２７を介してタンク内の飲料がバーバルブ２５に供給される構造になっている。
【００１３】
図３は、前記抽出機構部２６の内部構造図であって、実施例に係る抽出機構部２６の内部には、炭酸水用バルブ３１と、３つのリカー・シロップ用バルブ３２,３３,３４とが背面板３５に取り付けられており、これら飲料用の各バルブ３１,３２,３３,３４とバーバルブ２５との間は、配管３６,３７,３８,３９で接続されている。なお、抽出機構部４の任意箇所あるいはバーバルブ２５に設けられた操作部(図示せず)は、配線を収納した配管４１,４２,４３,４４によって各バルブ３１,３２,３３,３４に接続されている。そして、操作部から出力されるバルブ開閉指令信号が、各配線を介して各バルブ３１,３２,３３,３４に伝達されるよう構成される。
【００１４】
前記背面板３５は、実施例では、鉛直ではなく、下側に向かうにつれて飲料ディスペンサ２０の本体２０ａから離間するよう斜めに設けられている。そして、この背面板３５に対して前記各バルブ３１,３２,３３,３４の入口としての接続口３１ａ,３２ａ,３３ａ,３４ａが垂直に取り付けられて後方に所定長さで突出している。すなわち、背面板３５から突出する接続口３１ａ,３２ａ,３３ａ,３４ａは、図３に示す如く、水平ではなく、傾斜角θで斜め下方向を向くよう設定される。なお、前記傾斜角θは、抽出機構部２６の引き出し幅や接続口３１ａ,３２ａ,３３ａ,３４ａの長さや硬度等から適宜に設定されるものであって、１５°〜３０°の範囲が好適であるが、その他の角度であってもよい。
【００１５】
前記各接続口３１ａ,３２ａ,３３ａ,３４ａは、図６で説明した差し込み式継手とはせずに、各接続口３１ａ,３２ａ,３３ａ,３４ａの外周に雄ネジ部を設け、この雄ネジ部に、可撓性ホース２７の先端部に回転可能に設けた袋ナット２７ａを、Ｏリング２８を介して螺着する構成としている。なお、接続口３１ａに取り付けるＯリング２８と可撓性ホース２７は、図示を省略してある。
【００１６】
【実施例の作用】
次に、前述した実施例に係る構成の引き出し可能な抽出機構部を備える飲料ディスペンサの作用について説明する。
【００１７】
実施例に係る飲料ディスペンサ２０において、例えば可撓性ホース２７の交換作業が必要になった場合は、該飲料ディスペンサ２０における本体２０ａの側部から抽出機構部２６を手前側に引き出す。そして、前記接続口３１ａ,３２ａ,３３ａ,３４ａに締着されている各可撓性ホース２７先端部の袋ナット２７ａを、スパナを用いて緩め、その後、手で袋ナット２７ａを回転させて外すことになる。
【００１８】
この作業を行なうとき、実施例の飲料ディスペンサ２０では、袋ナット２７ａの回転軸が水平でなく、傾斜角θで下側に傾斜しているため、袋ナット２７ａにスパナがかかり易く、また、作業員の手で容易に回転できる。また、新しい可撓性ホース２７を抽出機構部２６に取り付ける作業も同様に容易となり、現場でのホース交換作業を短時間で行ない得る。
【００１９】
前記可撓性ホース２７を新しい可撓性ホース２７に交換した後、図２の矢印Ａと反対方向に抽出機構部２６を押し込み、飲料ディスペンサ２０を通常の使用状態とするが、実施例の飲料ディスペンサ２０では、接続口３１ａ,３２ａ,３３ａ,３４ａの向きが斜め下方向に向いているから、抽出機構部２６が押し込まれて余剰となった可撓性ホース２７が自重などによって下方に撓んでも、接続口３１ａ,３２ａ,３３ａ,３４ａに無理な力が加わることがなく、該接続口３１ａ,３２ａ,３３ａ,３４ａが歪んだり折れたりすることはない。同様に、可撓性ホース２７が過剰に曲がることもないため、注出が不可能になる事態や飲料が漏れるおそれもなくなる。
【００２０】
更に、前記背面板３５を斜めにしたため、抽出機構部２６内部においてもバルブ３１,３２,３３,３４の取り付け方向が斜めになり、このため、バルブ３１,３２,３３,３４に配管３６,３７,３８,３９を接続する接続口は、全てバーバルブ２５の方向を向くようになる。従って、配管３６,３７,３８,３９をそれほど屈曲させなくてもバルブ３１,３２,３３,３４とバーバルブ２５とを接続でき、抽出機構部２６内部においての配管取り回し作業が容易になる。
【００２１】
更にまた、前記バルブ３１,３２,３３,３４を取り付ける背面板３５を斜めに配置したため、鉛直に配置する場合に比べて抽出機構部２６の高さを小さくすることができ、これによって飲料ディスペンサ２０をコンパクトに構成することが可能となる。
【００２２】
前記抽出機構部に配設されるバルブの数は、実施例の数に限定されるものでなく、任意の数であればよく、また注出する飲料の種類も実施例のものに限定されない。更に、抽出機構部は飲料ディスペンサの左右の外側部に配設されるものだけでなく、ディスペンサ本体の内部に収納可能な構成を採用し得る。
【００２３】
【発明の効果】
以上に述べた如く、本発明に係る飲料ディスペンサによれば、飲料ディスペンサに引き出し可能に設けた抽出機構部の可撓性ホースに対する接続口を、水平よりも斜め下方向に向くよう構成したから、抽出機構部に対する可撓性ホースの取り付け作業および取り外し作業が容易になる。また、手前側に引き出されている抽出機構部を押し込む際に、可撓性ホースや抽出機構部の接続口に過大な力が加わることがなくなり、接続口が歪んだり、注出が不可能となる事態や液漏れが起こるのを抑制し得る。
【図面の簡単な説明】
【図１】  本発明の実施例に係る飲料ディスペンサの正面図である。
【図２】  実施例に係る飲料ディスペンサの側面図である。
【図３】  実施例に係る抽出機構部の内部構造図である。
【図４】  従来の技術に係る飲料ディスペンサの側面図である。
【図５】  従来の技術に係る飲料ディスペンサにおいて抽出機構部を引き出した状態の側面図である。
【図６】  従来の技術に係る抽出機構部の内部構造図である。
【符号の説明】
２０ａ 本体，２６ 抽出機構部，２７ 可撓性ホース，２７ａ 袋ナット
３１,３２,３３,３４ 飲料用のバルブ，３１ａ,３２ａ,３３ａ,３４ａ 接続口
【図１】
0004046549.tif 000002
【図２】
0004046549.tif 000003
【図３】
0004046549.tif 000004
【図４】
0004046549.tif 000005
【図５】
0004046549.tif 000006
【図６】
0004046549.tif 000007